(57)【要約】【課題】点灯部ごとに光出力が容易に調整可能であって、且つ、商品ニーズに応じて適正な平均輝度および輝度対比が得られる安価な照明装置およびそれを用いた照明器具を提供する。【解決手段】照明装置は、表示パネルに対して光を照射する点灯部１と、停電時に電源となる非常用電源２と、商用電源ＡＣから電力供給を受けて非常用電源２を充電する充電回路部３１と、非停電時において商用電源ＡＣから電力供給を受けて点灯部１を点灯させる常用点灯回路部３２と、停電時において非常用電源２から電力供給を受けて点灯部１を点灯させる非常用点灯回路部３３とを備え、点灯部１は発光ダイオード１１を光源として備えるとともに、調整操作に応じて発光ダイオード１１に流れる電流を調整することで当該発光ダイオード１１の光出力を調整する可変抵抗Ｒを備えている。【選択図】図１
2010147009.tif 000002
【特許請求の範囲】
【請求項１】
表示パネルに対して光を照射する点灯部と、停電時に電源となる非常用電源と、商用電源から電力供給を受けて前記非常用電源を充電する充電回路部と、非停電時において商用電源から電力供給を受けて前記点灯部を点灯させる常用点灯回路部と、停電時において前記非常用電源から電力供給を受けて前記点灯部を点灯させる非常用点灯回路部とを備え、前記点灯部は発光ダイオードを光源として備えるとともに、調整操作に応じて前記発光ダイオードに流れる電流を調整することで該発光ダイオードの光出力を調整する出力調整手段を備えることを特徴とする照明装置。
【請求項２】
前記常用点灯回路部および非常用点灯回路部は、一定の電圧を出力する定電圧回路であることを特徴とする請求項１記載の照明装置。
【請求項３】
前記出力調整手段は、前記発光ダイオードに直列接続された可変抵抗からなり、該可変抵抗の抵抗値を調整することによって前記発光ダイオードに流れる電流が調整されることを特徴とする請求項１または２の何れか１項に記載の照明装置。
【請求項４】
前記点灯部を複数備え、該複数の点灯部は、それぞれ前記出力調整手段を具備し、前記常用点灯回路部および非常用点灯回路部に対して並列に接続されることを特徴とする請求項１〜３の何れか１項に記載の照明装置。
【請求項５】
前記表示パネルの絵柄は濃色領域と淡色領域とで構成され、前記複数の点灯部として前記表示パネルにおいて相対的に淡色領域が多い箇所に配置される淡色領域用の点灯部と、前記表示パネルにおいて相対的に濃色領域が多い箇所に配置される濃色領域用の点灯部とを備え、前記出力調整手段により、前記淡色領域用の点灯部の発光ダイオードに流れる電流が、前記濃色領域用の点灯部の発光ダイオードに流れる電流よりも大きくなるように調整されることを特徴とする請求項４記載の照明装置。
【請求項６】
前記表示パネルの絵柄は濃色領域と淡色領域とで構成され、前記出力調整手段による光出力の調整値は、前記表示パネル全体に対する淡色領域の比率が大きくなるにつれて光出力が小さくなるような調整値であることを特徴とする請求項１〜４の何れか１項に記載の照明装置。
【請求項７】
請求項１〜６の何れか１項に記載の照明装置を備えることを特徴とする照明器具。
【発明の詳細な説明】
【技術分野】
【０００１】
本発明は、照明装置およびそれを用いた照明器具に関するものである。
【背景技術】
【０００２】
商用電源または非常用電源（例えばバッテリなど）から電力供給を受けて避難通路などの案内表示を行う所謂誘導灯が従来から提供されており、その光源としては一般的に冷陰極ランプが使用されるが（例えば特許文献１参照）、近年では発光ダイオード（以下、ＬＥＤと称す。）を使用したものも提案されている（例えば特許文献２参照）。
【０００３】
このようなＬＥＤを用いた誘導灯では、ＬＥＤ１個あたりの光出力が蛍光ランプや冷陰極ランプに比べて低いため、必要な明るさを確保するために複数のＬＥＤを直列接続しており、またこのようなＬＥＤを点灯させるための点灯回路としては、一般的に定電流回路が使用される。したがって、直列接続した複数のＬＥＤを点灯させるためには、（ＬＥＤ１個の順電圧×個数分）の電圧を点灯回路から出力する必要があるが、ＬＥＤの個数が多くなると点灯させるために必要な電圧も高くなってしまうため、点灯回路が複雑且つ高価になってしまう虞があった。
【０００４】
そこで、特許文献２に記載された誘導灯点灯装置では、それぞれ複数のＬＥＤが直列接続された複数のＬＥＤ回路を並列接続する構成をとっており、その結果各ＬＥＤ回路に接続されるＬＥＤの個数が低減されるから、定電流回路からの出力電圧を低減できるようになっている。
【特許文献１】特開２００１−１４９０９号公報（段落［００４５］−段落［００５３］、及び、第１図）
【特許文献２】特開２００６−２８６３３９号公報（段落［００１１］−段落［００２３］、及び、第１図−第４図）
【発明の開示】
【発明が解決しようとする課題】
【０００５】
しかしながら、ＬＥＤはその特性上光出力の個体差が大きく、同じ電流を流しても得られる光出力が異なる場合がある。したがって、上述の特許文献２に示した誘導灯点灯装置のように、並列接続された複数のＬＥＤ回路を点灯させた場合には、各ＬＥＤ回路の光出力が異なる状態が生じる可能性があった。
【０００６】
ここにおいて、誘導灯は、ＪＩＬ規格（日本照明器具工業会規格）によって用途に応じた表示面のサイズや平均輝度、輝度対比などが定められているが、上述のように光源としてＬＥＤを用いた場合に各ＬＥＤ回路ごとの光出力が異なると、同一商品であっても表示面の平均輝度にばらつきが生じる可能性があった。
【０００７】
また、避難口誘導灯や通路誘導灯のように必要とする平均輝度が異なる場合、光出力の異なる光源をそれぞれ用意する必要があった。
【０００８】
一方、誘導灯の表示面に形成される絵柄には複数種類のものが存在し、各種類ごとに緑色領域と白色領域の比率が異なるので、種類に関係なく発光部の光出力を同じにした場合には、表示パネルの種類によって表示面の平均輝度や輝度対比に差異が生じる可能性があった。
【０００９】
本発明は上記問題点に鑑みて為されたものであり、その目的とするところは、点灯部ごとに光出力が容易に調整可能であって、且つ、商品ニーズに応じて適正な平均輝度および輝度対比が得られる安価な照明装置およびそれを用いた照明器具を提供することにある。
【課題を解決するための手段】
【００１０】
請求項１の発明は、表示パネルに対して光を照射する点灯部と、停電時に電源となる非常用電源と、商用電源から電力供給を受けて非常用電源を充電する充電回路部と、非停電時において商用電源から電力供給を受けて点灯部を点灯させる常用点灯回路部と、停電時において非常用電源から電力供給を受けて点灯部を点灯させる非常用点灯回路部とを備え、点灯部は発光ダイオードを光源として備えるとともに、調整操作に応じて発光ダイオードに流れる電流を調整することで該発光ダイオードの光出力を調整する出力調整手段を備えることを特徴とする。
【００１１】
請求項２の発明は、常用点灯回路部および非常用点灯回路部は、一定の電圧を出力する定電圧回路であることを特徴とする。
【００１２】
請求項３の発明は、出力調整手段は、発光ダイオードに直列接続された可変抵抗からなり、該可変抵抗の抵抗値を調整することによって発光ダイオードに流れる電流が調整されることを特徴とする。
【００１３】
請求項４の発明は、点灯部を複数備え、該複数の点灯部は、それぞれ出力調整手段を具備し、常用点灯回路部および非常用点灯回路部に対して並列に接続されることを特徴とする。
【００１４】
請求項５の発明は、表示パネルの絵柄は濃色領域と淡色領域とで構成され、複数の点灯部として表示パネルにおいて相対的に淡色領域が多い箇所に配置される淡色領域用の点灯部と、表示パネルにおいて相対的に濃色領域が多い箇所に配置される濃色領域用の点灯部とを備え、出力調整手段により、淡色領域用の点灯部の発光ダイオードに流れる電流が、濃色領域用の点灯部の発光ダイオードに流れる電流よりも大きくなるように調整されることを特徴とする。
【００１５】
請求項６の発明は、表示パネルの絵柄は濃色領域と淡色領域とで構成され、出力調整手段による光出力の調整値は、表示パネル全体に対する淡色領域の比率が大きくなるにつれて光出力が小さくなるような調整値であることを特徴とする。
【００１６】
請求項７の発明は、請求項１〜６の何れか１項に記載の照明装置を備えることを特徴とする。
【発明の効果】
【００１７】
請求項１の発明によれば、出力調整手段が、ユーザの調整操作に応じて発光ダイオードに流す電流を調整することによって各商品ごとの光出力のばらつきを低減することができ、その結果商品品質を高めることができる。また、用途に応じて求められる平均輝度が異なる複数の商品や、表示パネルの絵柄が異なる複数種類の商品に対して１種類の点灯部で対応することができ、その結果設計・製造コストの低減が図れるという効果がある。
【００１８】
請求項２の発明によれば、常用点灯回路部および非常用点灯回路部として定電圧回路を用いることによって、例えば電源の電圧変動が生じた場合でも一定の電圧を出力することができ、その結果発光ダイオードに流れる電流を一定に制御することができるという効果がある。
【００１９】
請求項３の発明によれば、可変抵抗を用いることによって出力調整手段を簡単な回路構成で且つ安価に実現でき、さらに可変抵抗の抵抗値を調整するだけでいいので出力調整が容易になるという効果がある。
【００２０】
請求項４の発明によれば、出力調整手段を各点灯部にそれぞれ設けているので、表示パネルの表面輝度を点灯部ごとに調整することができるという効果がある。
【００２１】
請求項５の発明によれば、表示パネルにおいて相対的に淡色領域が多い箇所に配置される淡色領域用の点灯部の発光ダイオードに流れる電流が、相対的に濃色領域が多い箇所に配置される濃色領域用の点灯部の発光ダイオードに流れる電流よりも大きくなるように調整することによって、輝度対比を調整しつつ所望の表面輝度を得ることができるという効果がある。
【００２２】
請求項６の発明によれば、淡色領域は濃色領域に対して光透過率が高く、表示パネル全体に対する淡色領域の比率が大きい場合には点灯部から照射する光の照度が低くても所望の輝度を確保できるので、調整値を、表示パネル全体に対する淡色領域の比率が大きくなるにつれて光出力が小さくなるように設定することによって、消費電力を小さくすることができるという効果がある。
【００２３】
請求項７の発明によれば、請求項１〜６の何れか１項に記載の照明装置を用いることによって、商品ニーズに応じて適正な平均輝度および輝度対比が得られる安価な照明器具を実現できるという効果がある。
【発明を実施するための最良の形態】
【００２４】
以下に本発明に係る照明装置およびそれを用いた照明器具の実施形態を図面に基づいて説明する。本発明に係る照明装置および照明器具は、例えば天井や壁などに設置される誘導灯として用いられる。
【００２５】
（実施形態１）
図１は実施形態１の照明装置を示す概略ブロック図であり、後述の表示パネルに対して光を照射する点灯部１と、商用電源ＡＣの停電時に電源となる非常用電源２と、商用電源ＡＣから電力供給を受けて非常用電源２を充電する充電回路部３１と、非停電時において商用電源ＡＣから電力供給を受けて点灯部１を点灯させる常用点灯回路部３２と、停電時において非常用電源２から電力供給を受けて点灯部１を点灯させる非常用点灯回路部３３とを備える。
【００２６】
点灯部１は、直列接続された複数の発光ダイオード（ＬＥＤ）１１を光源として備えるとともに、上記複数の発光ダイオード１１に対して直列に接続され、当該複数の発光ダイオード１１に流れる電流を調整する可変抵抗Ｒを備えている。すなわち、可変抵抗Ｒの抵抗値を操作に応じて調整することによって、各発光ダイオード１１に流れる電流が調整され、その結果各発光ダイオード１１からの光出力が調整できるようになっている。ここに、可変抵抗Ｒにより出力調整手段が構成されている。
【００２７】
常用点灯回路部３２および非常用点灯回路部３３は、接続される負荷の大小に関わらず一定の電圧を出力する所謂定電圧回路で構成されており、例えば電源の電圧変動が生じた場合でも一定の電圧を出力することができ、その結果発光ダイオード１１に流れる電流を一定に制御することができるのである。
【００２８】
非常用電源２は、複数の２次電池（例えば、ニッカド電池やニッケル水素電池など）２１を備えており、商用電源ＡＣが供給されている状態で充電回路部３１により充電されるようになっている。なお、本実施形態では、充電方式として２次電池２１に対して微小な電流を常時流し続けるトリクル充電（連続充電）方式を採用している。また、本実施形態では、上述した充電回路部３１と、常用点灯回路部３２と、非常用点灯回路部３３とで点灯装置３が構成されている。
【００２９】
上述の点灯装置３および非常用電源２は、図２に示すように前面が開口する略矩形箱状の器具本体５内に収納され、前方から器具本体５の開口を閉塞する形で点灯部１および表示パネル４が被着されて誘導灯（照明器具）が構成される。なお、点灯部１は表示パネル４の上方に配置されるようになっている。すなわち、本実施形態の誘導灯では、表示パネル４の背面側に導光板（図示せず）が配置されており、当該導光板の上端面から入射した点灯部１からの光が導光板内で反射を繰り返し、前面から出射されて表示パネルを照明するようになっている。
【００３０】
ここで、図３（ａ）は避難口誘導灯の等級と表示パネルの平均輝度との関係を示し、図３（ｂ）は通路誘導灯の等級と表示パネルの平均輝度との関係を示しており、これらは法令で規定されている。
【００３１】
例えば冷陰極蛍光灯を用いた避難口誘導灯を例に説明すると、Ｂ級ＢＬ形では全光束を約８０ｌｍに設定することで平均輝度が３００ｃｄ／ｍ２程度になり、規定された常時の平均輝度（２５０〜４５０ｃｄ／ｍ２）が満足される（表示パネル４が図４（ｂ）の場合）。
【００３２】
ここにおいて本実施形態では、光源として発光ダイオード１１を用いており、例えば日亜化学工業（株）製の発光ダイオード（品名：ＮＳＳＷ１００ＣＴ）を用いた場合には、１個あたりの全光束が約５ｌｍ（順電流２０ｍＡ時）であるから、各発光ダイオードの光出力が略標準値であれば１６個で上記冷陰極蛍光灯と同等の平均輝度が得られることになる。
【００３３】
一方、非常時の平均輝度は、等級により常時との比率が異なっている。例えば非常時の平均輝度を２００ｃｄ／ｍ２程度に設定しようとすると、Ｂ級ＢＬ形では出力を２／３程度にすればいいので、図５に示すグラフより１２ｍＡ程度の電流が点灯部１の発光ダイオード１１に流れるように、非常用点灯回路部３３の出力電圧を設定することになる。
【００３４】
しかしながら、一般的に発光ダイオードの光出力はばらつきが非常に大きく、同じ電流を流していても最大値と最小値で２倍程度の差が生じる場合もあるため、１６個の発光ダイオードを定電流で使用すると、同じ商品でありながら表示パネル４の平均照度に大きな差が生じることもある。
【００３５】
そこで本実施形態では、常用点灯回路部３２および非常用点灯回路部３３として定電圧回路を用い、さらにユーザによる調整操作で可変抵抗Ｒの抵抗値を変化させることによって、点灯部１の発光ダイオード１１の光出力を略一定に調整し、商品間のばらつきが生じないようにすることができるようになっている。
【００３６】
例えば、常用点灯回路部３２および非常用点灯回路部３３の出力電圧をＤＣ６０Ｖ、発光ダイオード１１の順電圧を３．２Ｖとすると、発光ダイオード１１に流れる順電流を２０ｍＡとするためには、可変抵抗Ｒの抵抗値＝（６０−３．２×１６）／０．０２＝４４０Ωとなるように調整すればよく、また発光ダイオード１１に流れる順電流を１５ｍＡとするためには、可変抵抗Ｒの抵抗値＝（６０−３．２×１６）／０．０１５＝５８７Ωとなるように調整すればよい。したがってこの場合、抵抗値範囲が０〜１ｋΩ程度の可変抵抗Ｒを用いればよい。
【００３７】
ここにおいて本実施形態では、Ｂ級ＢＬ形の場合を例に説明したが、Ｂ級ＢＨ形やＡ級、Ｃ級のものであっても同様に可変抵抗Ｒの抵抗値を調整することで、所望の平均輝度が得られるようになっている。
【００３８】
而して、本実施形態によれば、ユーザによる調整操作に応じて可変抵抗Ｒの抵抗値を変化させることによって、発光ダイオード１１に流す電流を一定に調整できるので、各商品ごとの光出力のばらつきを低減することができ、その結果商品品質を高めることができる。また、用途に応じて求められる平均輝度が異なる複数の商品や、表示パネル４の絵柄が異なる複数種類の商品に対して１種類の点灯部１で対応することができ、その結果設計・製造コストの低減が図れる。さらに、可変抵抗Ｒを用いることによって出力調整手段を簡単な回路構成で且つ安価に実現でき、さらに可変抵抗Ｒの抵抗値を調整するだけでいいので出力調整が容易になるという利点がある。
【００３９】
なお、本実施形態では、日亜化学工業（株）製の発光ダイオードを用いた場合について説明したが、用いる発光ダイオードは本実施形態に限定されるものではなく、他のものであってもよい。但し、他のものを用いた場合には、その発光ダイオードの特性に応じた設定をすることを要する。
【００４０】
（実施形態２）
本発明に係る照明装置およびそれを用いた照明器具の実施形態２について説明する。本実施形態では、表示パネル４全体に対する白色領域（淡色領域）の比率に応じて可変抵抗Ｒの抵抗値を調整可能になっている。なお、それ以外の構成は実施形態１と同様であり、同一の構成要素には同一の符号を付して説明は省略する。
【００４１】
例えば避難口誘導灯の表示パネル４には、矢印がない絵柄４ａ（図４（ａ）参照）のものと、左右両矢印を備えた絵柄４ｂ（図４（ｂ）参照）のものがあり、絵柄４ｂでは、図６に示すように緑色領域（濃色領域）と白色領域の比率が７４：２６となっており、絵柄４ａでは緑色領域と白色領域の比率が６６：３４となっている。
【００４２】
ここにおいて、表示パネル４として、白色領域の透過率が約９０％、緑色領域の透過率が約２０％の高透過パネルを用いた場合には、絵柄４ｂの表示パネル４と絵柄４ａの表示パネル４の表示面全体の透過率比は、（７４×０．２＋２６×０．９）：（６６×０．２＋３４×０．９）＝３８．２：４３．８となる。したがって、絵柄４ｂの表示パネル４に対する絵柄４ａの表示パネル４の比率は４３．８／３８．２＝１．１５倍となる。
【００４３】
ここで本実施形態でも、実施形態１と同様に絵柄４ｂの表示パネル４に対して、日亜化学工業（株）製の発光ダイオード（品名：ＮＳＳＷ１００ＣＴ）を１６個使用し、順電流を２０ｍＡとなるように可変抵抗Ｒの抵抗値を調整すると、平均輝度が約３００ｃｄ／ｍ２となる。したがって、絵柄４ａの表示パネル４では、絵柄４ｂの表示パネル４に対して、各発光ダイオード１１の光出力が１／１．１５＝０・８７倍になるように可変抵抗Ｒの抵抗値を調整すれば、平均輝度が約３００ｃｄ／ｍ２となる。なお、光出力を０．８７倍にするには、図５より発光ダイオード１１の順電流を約１６ｍＡに設定すればよいことが分かる。すなわち、絵柄４ｂの表示パネル４の場合には点灯部１の発光ダイオード１１の順電流が約２０ｍＡとなるように可変抵抗Ｒの抵抗値を調整し、絵柄４ａの表示パネル４の場合には点灯部１の発光ダイオード１１の順電流が約１６ｍＡとなるように可変抵抗Ｒの抵抗値を調整することによって、両表示パネル４に対して同一の点灯部１を使用できるのである。
【００４４】
次に、照明器具が通路誘導灯の場合、例えば表示パネル４が図４（ｃ）に示すものでは、緑色領域と白色領域の比率が２７：７３となっている（図６参照）。したがって、上述した避難口誘導灯と同様に、表示パネル４として高透過率パネルを用いた場合には、白色領域の透過率が約９０％、緑色領域の透過率が約２０％であるから、避難口誘導灯の絵柄４ｂの表示パネル４と、通路誘導灯の絵柄４ｃの表示パネル４との表示面全体の透過率比は、（７４×０．２＋２６×０．９）：（２７×０．２＋７３×０．９）＝３８．２：７１．１となる。したがって、避難口誘導灯の表示パネル４に対する通路誘導灯の表示パネル４の比率は７１．１／３８．２＝１．８６倍となる。
【００４５】
ここで、避難口誘導灯と通路誘導灯では表示面に求められる平均輝度が異なり、通路誘導灯では常時において４００ｃｄ／ｍ２程度に設定する必要がある（図３（ｂ）参照）。一方、避難口誘導灯に求められる平均輝度は３００ｃｄ／ｍ２程度であったので、避難口誘導灯の光出力に対する通路誘導灯の光出力の比率は、１／１．８６×（４００／３００）＝０．７２倍となる。すなわち、通路誘導灯の表示パネル４が絵柄４ｃである場合には、各発光ダイオード１１の光出力を、避難口誘導灯の場合の光出力に対して０．７２倍にすれば平均輝度が４００ｃｄ／ｍ２程度となり、求められる平均輝度を満たすことになる。なお、光出力を０．７２倍にするには、図５より発光ダイオード１１の順電流を約１５ｍＡに設定すればよいことが分かる。すなわち、絵柄４ｂの表示パネル４を用いた避難口誘導灯の場合には点灯部１の発光ダイオード１１の順電流が約２０ｍＡとなるように可変抵抗Ｒの抵抗値を調整し、絵柄４ｃの表示パネル４を用いた通路誘導灯の場合には点灯部１の発光ダイオード１１の順電流が約１５ｍＡとなるように可変抵抗Ｒの抵抗値を調整することによって、両誘導灯に対して同一の点灯部１を使用できるのである。
【００４６】
而して、本実施形態の照明器具では、上述のように表示パネル４全体に対する白色領域（淡色領域）の比率が大きくなるにつれて光出力が小さくなるように調整値（抵抗値）が設定され、その結果表示パネル４の必要な平均輝度を確保しつつ、消費電力を小さくすることができるのである。
【００４７】
なお、本実施形態で説明した絵柄４ｃは一例であって、例えば図４（ｄ）に示すような絵柄（矢印が左右両側タイプのもの）４ｄであってもよく、同様に表示パネル４全体に対する白色領域の比率に応じて可変抵抗Ｒの抵抗値を調整することによって、所望の平均輝度を確保することができる。
【００４８】
（実施形態３）
本発明に係る照明装置およびそれを用いた照明器具の実施形態３について説明する。実施形態１，２では点灯部１が１つの場合について説明したが、本実施形態では４つの点灯部１を、それぞれ常用点灯回路部３２および非常用点灯回路部３３に対して並列接続している。なお、それ以外の構成については実施形態１，２と同様であり、同一の構成要素には同一の符号を付して説明は省略する。
【００４９】
本実施形態の照明装置は、図７に示すように複数（本実施形態では４つ）の点灯部１Ａ〜１Ｄと、非常用電源２と、充電回路部３１と、常用点灯回路部３２と、非常用点灯回路部３３とを備える。各点灯部１Ａ〜１Ｄは、直列接続された複数（本実施形態では４個）の発光ダイオード１１と、当該発光ダイオード１１に直列接続された可変抵抗Ｒ１〜Ｒ４とをそれぞれ備えており、各可変抵抗Ｒ１〜Ｒ４をそれぞれ調整することによって、発光ダイオード１１に流れる電流を調整できるようになっている。
【００５０】
ここにおいて、日本照明器具工業会の技術基準（ＪＩＬ５５０２）には、表示面の平均輝度とは別に、「表示面の白色領域（淡色領域）と緑色領域（濃色領域）との輝度対比が０．７〜０．９の範囲にあること」と規定されており、輝度対比は、白色領域の輝度測定値をＬｗ、緑色領域の輝度測定値をＬｇとすると、輝度対比＝（Ｌｗ−Ｌｇ）／Ｌｗで求められる。
【００５１】
図８（ａ）（ｂ）は避難口誘導灯に用いられる表示パネル４であり、表示パネル４の横寸法ａを１００とした場合、図中の寸法ｂ，ｃ，ｄの寸法比率はｂ：ｃ：ｄ＝２０：６０：２０程度になっている。また、左右両側の寸法ｂ，ｄの部分は略緑色領域で占められており、中間の寸法ｃの部分は緑色領域と白色領域の面積比率が４０：６０程度になっている。
【００５２】
ここで本実施形態では、図８（ｂ）に示すように左右両側の寸法ｂ，ｄの部分にはそれぞれ点灯部１Ａ，１Ｄを配置し、中間の寸法ｃの部分には点灯部１Ｂ，１Ｃを配置しており、また表示パネル４として、実施形態１，２と同様に白色領域の透過率が約９０％、緑色領域の透過率が約２０％の高透過パネルを使用している。ここに、本実施形態では、点灯部１Ｂ，１Ｃにより淡色領域用の点灯部が構成され、点灯部１Ａ，１Ｄにより濃色領域用の点灯部が構成されている。
【００５３】
したがって、寸法ｂ，ｃ，ｄの部分に配置した点灯部１Ａ〜１Ｄの光出力が等しい場合には、輝度対比は単純に白色領域と緑色領域の透過率から求められることになり、輝度対比＝（９０−２０）／９０＝０．７８程度になる。
【００５４】
また、相対的に白色領域が多い中間の寸法ｃの部分に配置される点灯部１Ｂ，１Ｃの光出力を、相対的に緑色領域が多い左右両側の寸法ｂ，ｄの部分に配置される点灯部１Ａ，１Ｄの光出力に対して１．８倍とすると、寸法ｃの部分の輝度は寸法ｂ，ｄの部分の輝度の１．８倍になるので、寸法ｂ，ｄの部分の緑色領域の輝度と、寸法ｃの部分の白色領域の輝度との輝度比は、２０：９０×１．８＝１０：８１となる。したがって、輝度対比＝（８１−１０）／８１＝０．８８となり、点灯部１Ａ〜１Ｄの光出力が等しい場合に比べて高い数値が得られる。
【００５５】
而して、本実施形態によれば、表示パネル４において相対的に淡色領域が多い箇所（寸法ｃの部分）に配置される淡色領域用の点灯部１Ｂ，１Ｃの発光ダイオード１１に流れる電流が、相対的に濃色領域が多い箇所（寸法ｂ，ｄの部分）に配置される濃色領域用の点灯部１Ａ，１Ｄの発光ダイオード１１に流れる電流よりも大きくなるように可変抵抗Ｒ１〜Ｒ４の抵抗値を調整することによって、輝度対比を高めつつ所望の表面輝度を得ることができる。また、可変抵抗Ｒ１〜Ｒ４（出力調整手段）を各点灯部１Ａ〜１Ｄにそれぞれ設けているので、表示パネル４の表面輝度を点灯部ごとに調整することができる。
【００５６】
さらに、実施形態１〜３の何れかの照明装置を用いることによって、商品ニーズに応じて適正な平均輝度および輝度対比が得られる安価な誘導灯（照明器具）を実現できる。
【００５７】
なお、本実施形態では、表示パネル４が絵柄４ａの場合を例に説明したが、表示パネル４の絵柄は例えば図４（ｂ）〜（ｄ）のような絵柄であってもよく、同様に可変抵抗Ｒ１〜Ｒ４の抵抗値を調整して各点灯部１Ａ〜１Ｄの光出力を調整することによって、輝度対比を調整しつつ所望の表面輝度を得ることができる。
【００５８】
また、実施形態１〜３では照明器具が誘導灯の場合について説明したが、例えば非常灯のような非常用照明器具であってもよく、実施形態１〜３に限定されない。
【図面の簡単な説明】
【００５９】
【図１】実施形態１，２の照明装置を示す概略ブロック図である。
【図２】同上を用いた照明器具の分解斜視図である。
【図３】（ａ）（ｂ）は同上を用いた照明器具の等級と表示面の平均輝度との関係を示す関係図である。
【図４】（ａ）〜（ｄ）は同上を用いた照明器具の表示パネルの一例である。
【図５】発光ダイオードの順電流と相対光度の関係を示すグラフである。
【図６】各表示パネルの濃色領域と淡色領域の比率を示す表である。
【図７】実施形態３の照明装置を示す概略ブロック図である。
【図８】同上を用いた照明器具の表示パネルの一例を示し、（ａ）は正面図、（ｂ）は点灯部の配置図である。
【符号の説明】
【００６０】
１  点灯部
２  非常用電源
４  表示パネル
１１  発光ダイオード
３１  充電回路部
３２  常用点灯回路部
３３  非常用点灯回路部
ＡＣ  商用電源
Ｒ  可変抵抗（出力調整手段）
【図１】
2010147009.tif 000003
【図２】
2010147009.tif 000004
【図３】
2010147009.tif 000005
【図４】
2010147009.tif 000006
【図５】
2010147009.tif 000007
【図６】
2010147009.tif 000008
【図７】
2010147009.tif 000009
【図８】
2010147009.tif 000010